(57)【特許請求の範囲】
【請求項１】
ワークに打ち込まれたノックピンをワークから抜き取るためのノックピン抜き工具において、
先端が前記ノックピンと連結される連結部材を有すると共に他端側にスライド軸を有する引抜き棒と、前記スライド軸の他端に設けられた被打撃ブロックと、前記被打撃ブロックと前記スライド軸を覆うと共にスライド軸に対してスライド自在に設けられ、かつ、先端側内周に前記被打撃ブロックと衝突するための打撃部を有する筒状ハンマーとを備え、
前記スライド軸の先端側には、前記被打撃ブロックに対向して前記筒状ハンマーのスライド範囲を規制するストッパブロックが設けられ、前記筒状ハンマーの先端部には、前記筒状ハンマーが前記ストッパブロックに当接するとき前記ストッパブロックを覆うカバー部が形成され、
前記連結部材と前記スライド軸の間には、前記スライド軸より大径のホルダ本体が配置され、
前記ストッパブロックと前記ホルダ本体との間の前記スライド軸には、前記筒状ハンマーと前記ストッパブロックとが当接する前に前記筒状ハンマーと当接する緩衝部材が圧縮された状態で設けられたことを特徴とするノックピン抜き工具。
【請求項２】
前記筒状ハンマーは、断面非円形に形成された筒状部を有し、前記被打撃ブロックは、前記筒状部に対して回転不能な断面非円形に形成された請求項１に記載のノックピン抜き工具。
【請求項３】
前記筒状ハンマーに、手指の滑りを止める滑り止め溝を設けた請求項１又は２に記載のノックピン抜き工具。
【発明の詳細な説明】
【技術分野】
【０００１】
本発明は、金型等のワークに打ち込まれたノックピンを抜き取るためのノックピン抜き工具に関するものである。
【背景技術】
【０００２】
図２（ａ）に示すように、金型２等のワークに打ち込まれたノックピン１を抜き取るノックピン抜き工具３０は、先端がノックピン１に連結される引抜き棒３１と、引抜き棒３１の外周に軸方向スライド自在に設けられた筒状ハンマー３２とを備える。引抜き棒３１の他端側には、筒状ハンマー３２を衝突させるための鍔３３が設けられている。
【０００３】
図２（ｂ）に示すように、ノックピン抜き工具３０は、ノックピン１に引抜き棒３１を螺合させて連結したのち、筒状ハンマー３２を勢いよく他端側にスライドさせて鍔３３に衝突させることで引抜き棒３１に引抜き力を付与してワークからノックピン１を抜き取るようになっている。
【先行技術文献】
【特許文献】
【０００４】
【特許文献１】特開平１１−３３９２９号公報
【特許文献２】特開２００６−３２６７４２号公報
【特許文献３】特開２００４−５８２５１号公報
【発明の概要】
【発明が解決しようとする課題】
【０００５】
ところで、ノックピン抜き工具３０は、むき出しにされた鍔３３と筒状ハンマー３２の他端とを衝突させるものであるため、作業者がノックピン抜き工具３０の運搬時や作業時に、鍔３３と筒状ハンマー３２との間に手指を挟む可能性があり、安全性に改善の余地が残されていた。
【０００６】
また、ノックピン１に引抜き棒３１を螺合させて連結させる際には、筒状ハンマー３２が引抜き棒３１に対して回転自在であるため、片手で筒状ハンマー３２を持つだけでは引抜き棒３１を廻すことができなかった。
【０００７】
またさらに、引抜き棒３１は筒状ハンマー３２を貫通するものであるため、ノックピン抜き工具３０は長くて重く、片手で保持するのは困難であった。このため、ノックピン抜き工具３０を両手で支えて作業をする必要があった。
【０００８】
本発明の目的は、運搬時や作業時に手指を挟むことが防止できるノックピン抜き工具を提供することにある。
【課題を解決するための手段】
【０００９】
上述の目的を達成するため、本発明は、ワークに打ち込まれたノックピンをワークから抜き取るためのノックピン抜き工具において、先端が前記ノックピンと連結される連結部材を有すると共に他端側にスライド軸を有する引抜き棒と、前記スライド軸の他端に設けられた被打撃ブロックと、前記被打撃ブロックと前記スライド軸を覆うと共にスライド軸に対してスライド自在に設けられ、かつ、先端側内周に前記被打撃ブロックと衝突するための打撃部を有する筒状ハンマーとを備えたものである。
【発明の効果】
【００１０】
本発明によれば、運搬時や作業時に手指を挟むことが防止できる。
【図面の簡単な説明】
【００１１】
【図１】本発明の一実施の形態に係るノックピン抜き工具の断面説明図であり、（ａ）は筒状ハンマーが先端側にある状態、（ｂ）は（ａ）をＡ−Ａ線矢印方向から視た状態、（ｃ）は筒状ハンマーが被打撃ブロックと衝突した状態を示す。
【図２】従来のノックピン抜き工具の断面説明図であり、（ａ）は筒状ハンマーが先端側にある状態、（ｂ）は筒状ハンマーが鍔と衝突した状態を示す。
【発明を実施するための形態】
【００１２】
以下、本発明の好適な実施の形態を添付図面にしたがって説明する。
【００１３】
図１は、上下に重なる金型に打ち込まれたノックピンをノックピン抜き工具で抜き取る状態を説明する図である。図１（ａ）は、筒状ハンマーをその可動範囲の下端に位置させた状態を示し、図１（ｃ）は、筒状ハンマーを上方にスライドさせて被打撃ブロックに衝突させた状態を示す。また、本実施の形態において下方はノックピン抜き工具の先端方向であり、上方はノックピン抜き工具の他端方向である。
【００１４】
図１（ａ）に示すように、ノックピン１は、隣接する金型２同士を結合させるものであり、各金型２に連通して形成された打ち込み穴３に打ち込まれることで金型２同士を結合する。また、ノックピン１は、筒状に形成されており、内周に雌ネジ４が形成されている。
【００１５】
ノックピン抜き工具５は、下端（先端）がノックピン１と連結される連結部材６を有すると共に上端側（他端側）にスライド軸７を有する引抜き棒８と、スライド軸７の上端に設けられた被打撃ブロック９と、被打撃ブロック９とスライド軸７を覆うと共にスライド軸７に対してスライド自在に設けられ、かつ、先端側内周に被打撃ブロック９と衝突するための打撃部１０を有する筒状ハンマー１１とを備える。
【００１６】
引抜き棒８は、ノックピン１と螺合されるボルト状の連結部材６と、連結部材６と同軸上に配置され連結部材６の上端を受ける棒状の受けホルダ１２と、連結部材６と受けホルダ１２を結合させるためのアダプタ１３と、受けホルダ１２と同軸上に配置され受けホルダ１２の上端部に結合されるスライド軸７とを備える。
【００１７】
連結部材６は、平面視非円形の頭部１４を有し、後述するアダプタ１３と回転不能に嵌合される。
【００１８】
受けホルダ１２は、下端側に形成され連結部材６の頭部１４と突き合わされる雄ネジ部１５ａと、雄ネジ部１５ａの上端から上方に延びて形成されたホルダ本体１６とを備える。雄ネジ部１５ａは、連結部材６の頭部１４より大径に形成されている。ホルダ本体１６は、雄ネジ部１５ａより大径、かつ、後述するスライド軸７より大径の棒状に形成されている。これにより、ノックピン抜き工具５の重心を低くして作業時の安定性を高めるようになっている。また、ホルダ本体１６の上端部には、スライド軸７と結合するための雌ネジ部１７ｂが形成されている。
【００１９】
アダプタ１３は、筒状に形成される。アダプタ１３は、上部に受けホルダ１２の雄ネジ部１５ａと螺合される雌ネジ部１５ｂを有し、下部に連結部材６の頭部１４を収容する頭部収容部１８を有する。頭部収容部１８は、内周面が連結部材６の頭部１４と回転不能に嵌合するように形成されている。また、頭部収容部１８には、連結部材６の雄ネジ部１９ａを挿通させると共に頭部１４の下面と当接する縮径部２０が形成されている。アダプタ１３は、受けホルダ１２の雄ネジ部１５ａと螺合されることで縮径部２０と受けホルダ１２の雄ネジ部１５ａとの間に連結部材６の頭部１４を挟んで固定するようになっている。
【００２０】
スライド軸７は、下端から上端まで略同径の棒状に形成されている。スライド軸７の下端には、ホルダ本体１６の雌ネジ部１７ｂと螺合される雄ネジ部１７ａが形成されている。また、雄ネジ部１７ａは、ホルダ本体１６の雌ネジ部１７ｂより軸方向に長く形成されており、上部が雌ネジ部１７ｂからはみ出て露出するようになっている。雌ネジ部１７ｂからはみ出した雄ネジ部１７ａには、筒状ハンマー１１を受けるためのストッパブロック２１が設けられる。ストッパブロック２１はブロック状に形成された上下一対のナットからなる。また、ストッパブロック２１とホルダ本体１６との間には、筒状ハンマー１１がストッパブロック２１に当接するときに筒状ハンマー１１と当接して筒状ハンマー１１の勢いを吸収するための緩衝部材２２が設けられている。
【００２１】
緩衝部材２２は、コイルバネからなり、下端がホルダ本体１６の上端に形成された受け座２３に着座されると共に、上端がストッパブロック２１の下面に当接される。緩衝部材２２は、圧縮された状態でホルダ本体１６とストッパブロック２１との間に配設される。また、緩衝部材２２は、ストッパブロック２１よりも径方向外方にはみ出すように大径に形成されており、ストッパブロック２１からはみ出した上端部外周で筒状ハンマー１１を受けるようになっている。なお、緩衝部材２２はコイルバネに限るものではない。例えば緩衝部材２２は、軟質の樹脂等からなるものであってもよい。
【００２２】
図１（ａ）、（ｂ）に示すように、被打撃ブロック９は、筒状ハンマー１１からノックピン抜き方向の打撃を受けるためのものであり、筒状に形成されると共に外周形状が楕円形に形成されている。被打撃ブロック９は、スライド軸７の上端部に形成された雄ネジ（図示せず）と螺合されたのちスライド軸７の上端部と溶接されており、スライド軸７に強固に固定されている。
【００２３】
なお、被打撃ブロック９は外周形状が楕円形に形成されるものとしたが、これに限るものではない。被打撃ブロック９は後述する筒状ハンマー１１に対して回転不能であればよく、外周形状が非円形であればよい。
【００２４】
筒状ハンマー１１は、被打撃ブロック９の外周を囲む筒状に形成された筒状部２４と、筒状部２４の下端部に設けられた打撃部１０と、筒状部２４の下端部に打撃部１０より下方に延びて設けられ下方に移動されたときストッパブロック２１を覆うと共に緩衝部材２２と当接するカバー部２５とを備える。
【００２５】
筒状部２４は、内周形状が被打撃ブロック９の外周形状に倣う形状（楕円形）に形成されており、被打撃ブロック９に対して回転不能にされている。また、筒状部２４の外周には、手指の滑りを止めるためのローレット加工が施されると共に、滑り止め溝２６が設けられている。滑り止め溝２６は、環状に形成されており、筒状部２４を握ったとき作業者の指が掛かるようになっている。また、滑り止め溝２６より上方の筒状部２４には、筒状部２４を握った手が外れるのを防ぐための拡径部２７が形成されている。
【００２６】
打撃部１０は、筒状部２４の内周面から径方向内方に延びると共に内周面がスライド軸７の外周面と摺接するリング板状に形成されている。打撃部１０は、上方に移動されたとき被打撃ブロック９と衝突し、引抜き棒８に打撃を与えるようになっている。また、打撃部１０は、下方に移動されたときストッパブロック２１と当接し、筒状ハンマー１１の下方への移動を規制するようになっている。すなわち、打撃部１０と被打撃ブロック９とが衝突する位置が筒状ハンマー１１の移動範囲の上端位置（衝突位置）となり、打撃部１０とストッパブロック２１とが当接する位置が筒状ハンマー１１の移動範囲の下端位置（待機位置）となる。
【００２７】
カバー部２５は、筒状部２４と同軸上の筒状に形成されると共に内径がストッパブロック２１より大きく、かつ、緩衝部材２２の外径よりも小さく形成されている。また、カバー部２５は、軸方向の長さがストッパブロック２１より長く形成されており、下方に移動されたとき、打撃部１０の下面がストッパブロック２１に当接するまえに緩衝部材２２の外周部に当たって緩衝部材２２を押し縮めるようになっている。
【００２８】
また、筒状部２４の上端部には、筒状部２４の変形を防止するための補強ピン２８が直径方向に貫通して設けられている。
【００２９】
次に本実施の形態の作用を述べる。
【００３０】
金型２の打ち込み穴３からノックピン１を抜き取る場合、まず、ノックピン１にノックピン抜き工具５の連結部材６を螺合させる。このとき、筒状ハンマー１１を握った状態でノックピン１の雌ネジ４に連結部材６の先端を合わせ、そのまま筒状ハンマー１１を右回りに回転させる。筒状ハンマー１１内の被打撃ブロック９は筒状ハンマー１１に対して回転不能にされているため、筒状ハンマー１１からの回転力は被打撃ブロック９、スライド軸７、受けホルダ１２及びアダプタ１３を介して連結部材６に伝わる。これにより、連結部材６がノックピン１に螺合される。筒状ハンマー１１を片手で操作するだけで容易にノックピン１とノックピン抜き工具５とを螺合させることができる。
【００３１】
この後、図１（ｃ）に示すように、筒状ハンマー１１を勢いよく上方に引き上げ、引抜き棒８の被打撃ブロック９に筒状ハンマー１１の打撃部１０を衝突させる。引抜き棒８は上方に打撃され、ノックピン１が上方に動く。このとき、被打撃ブロック９は筒状ハンマー１１内に位置されており、筒状ハンマー１１は引抜き棒８より上方にスライド移動するだけであるため、筒状ハンマー１１と引抜き棒８との間に手指が挟まれる虞はなく、安全に作業を行うことができる。
【００３２】
この後、引抜き棒８に再度打撃を与えるべく、筒状ハンマー１１を下方にスライドさせたのち、勢いよく上方に引き上げる。以後、この作業を繰り返すことで金型２からノックピン１を抜き取ることができる。筒状ハンマー１１は、下方にスライドされたとき勢い余ってストッパブロック２１に当たることもあるが、その前に緩衝部材２２が筒状ハンマー１１に当たってその勢いを吸収するため、引抜き棒８が下方の打撃を受けることはない。また、筒状ハンマー１１の打撃部１０下面がストッパブロック２１に当たるとき、カバー部２５がストッパブロック２１の外周を覆うため、打撃部１０下面とストッパブロック２１との間に手指が挟まれる虞はなく、安全に作業を行うことができる。
【００３３】
このように、ノックピン抜き工具５が、先端がノックピン１と連結される連結部材６を有すると共に他端側にスライド軸７を有する引抜き棒８と、スライド軸７の他端に設けられた被打撃ブロック９と、被打撃ブロック９とスライド軸７を覆うと共にスライド軸７に対してスライド自在に設けられ、かつ、先端側内周に被打撃ブロック９と衝突するための打撃部１０を有する筒状ハンマー１１とを備えるものとしたため、打撃部１０及び被打撃ブロック９を覆い隠すことができ、運搬時や作業時に手指を挟むことが防止できる。また、引抜き棒８は筒状ハンマー１１を貫通させる必要がなく、図２に示すノックピン抜き工具３０より短く軽量にでき、片手で支えて作業をすることができる。
【００３４】
筒状ハンマー１１は、断面非円形に形成された筒状部２４を有し、被打撃ブロック９は、筒状部２４に対して回転不能な断面非円形に形成されるものとしたため、筒状ハンマー１１を片手で持って回転させるだけでノックピン１にノックピン抜き工具５の連結部材６を螺合させることができ、作業性を向上できる。
【００３５】
スライド軸７の先端側には、被打撃ブロック９と対向して筒状ハンマー１１のスライド範囲を規制するストッパブロック２１が設けられ、筒状ハンマー１１の先端部には、筒状ハンマー１１がストッパブロック２１に当接するときストッパブロック２１を覆うカバー部２５が形成されるものとしたため、筒状ハンマー１１とストッパブロック２１との間に手指を挟むことが防止できる。
【００３６】
スライド軸７には、筒状ハンマー１１とストッパブロック２１とが当接する前に筒状ハンマー１１と当接する緩衝部材２２が設けられるものとしたため、筒状ハンマー１１がストッパブロック２１と当接するとき引抜き棒８に下方の打撃が加わるのを防ぐことができ、ノックピン１を効率よく抜き取ることができる。
【００３７】
また、筒状ハンマー１１に、手指の滑りを止める滑り止め溝２６を設けるものとしたため、筒状ハンマー１１を手のひらに馴染みやすくでき、手のひらが筒状ハンマー１１から外れるのを防止できる。
【符号の説明】
【００３８】
１  ノックピン
５  ノックピン抜き工具
６  連結部材
７  スライド軸
８  引抜き棒
９  被打撃ブロック
１０  打撃部
１１  筒状ハンマー
【図１】
0006452333.tif 000002
【図２】
0006452333.tif 000003